Podtech/llm-jp-corpus-v4-ja_patent huggingface dataset:
(57)【要約】【課題】  小さい子供が大人の椅子に腰掛けると、足が床に着かないので、子供の成長に合わせて高さを三段階調節できる組み立て式の足載せ台を提供する。【解決手段】  側面板にくりぬき穴６と７をくりぬき、上部には台板の厚さの窪み８を切り込みして、台板の高さを三段階に調節できるようにする。左右の側面板２に取り付け板３、４、５を組み立て用ネジで組み立てる。上段の高さの場合は側面板の窪み８に台板１を載せ、中段の場合はくりぬき穴６に台板を通し、下段の場合はくりぬき穴７に台板を通して、子供の成長に合わせた高さで使用できるようにする。【選択図】図５
2007229424.tif 000002
【特許請求の範囲】
【請求項１】
子供が大人の椅子に腰掛ける時に使用するもので、子供の成長に合わせて高さを三段階調節できる足載せ台を組み立て式にするものです。
【発明の詳細な説明】
【技術分野】
【０００１】本発明は、子供が大人の椅子に腰掛ける時、足が床に着かないので足を載せるための台で、子供の成長に合わせて高さを三段階に調節できる台を組み立て式にしたものである。
【背景技術】
【０００２】従来、幼児用の椅子はあるが、２〜３才位までで、その上の年令に合った椅子はなく、大人の椅子に腰掛けるようになり、足が床に着かない状態になっている。
【発明の開示】
【発明が解決しようとする課題】
【０００３】身長と椅子の座面の高さとの関係は、椅子に腰掛けた時、足が床に自然に着くのが理想ですが、小さな子供が成長するまでは椅子の座面が高すぎて、足が床に着かないという難点があった。本発明は、この課題を解消するためになされたものである。
【課題を解決するための手段】
【０００４】前項で説明した課題を解決するために、足を載せる台の高さを三段階にするには、側面板に中段と下段の穴をくりぬき、上部には台板の厚さの窪みをつけて、必要に応じた高さの位置に台板を渡して対応する。台板の裏側の左右に、ずれ落ちを防ぐ桟を取り付ける。又この足載せ台は、左右の側面板二枚に取り付け板三枚を組み立て用のネジで取り付ける方法にする。
【発明の効果】
【０００５】子供の成長に合わせて高さを調節した台に足を載せると、体が楽で姿勢も良くなる効果がある。組み立て式にすることにより、商品化する際小さく梱包でき、運びやすい利点がある。
以下、本発明の実施の形態について説明する。
（イ）側面板には上部に台板を載せるための窪み８を切り込み、台板を通すくりぬき穴６を中段部分に、くりぬき穴７を下段部分にくりぬく。
（ロ）左右の側面板２に組み立て用ネジ穴１０を六箇所づつあけて、三枚の取り付け板３、４、５を組み立て用ネジで組み立てる。
（ハ）台板を、側面板の窪み８あるいはくりぬき穴の６と７のいずれか必要な高さの位置に載せる、又は通す。
【実施例】
【０００６】台板１を左右の側面板２の窪み８に載せて使用する場合、台板の面の高さは一番高くなるので小さい子供に向いており、足のサイズが小さいので、台板の巾は狭くても良い。
くりぬき穴６に通して使用する場合は取り付け板３の上の部分とくりぬき穴６に通した台板の面の高さが同じにしてあるので、台板の巾が広がる効果があり、成長がさらに進んで足のサイズが少し大きくなった子供に適する。
くりぬき穴７に通して使用する場合は取り付け板４と５の上の部分とくりぬき穴７に通した台板の面の高さが同じにしてあるので、台板の巾がさらに広がる効果があり、足のサイズが大きくなってくる子供に適する。
【図面の簡単な説明】
【０００７】
【図１】本発明の平面図である。
【図２】本発明の正面の立面図である。
【図３】本発明の台板の正面の立面図である
【図４】本発明の側面の立面図である。
【図５】本発明の立体図である。
【符号の説明】
【０００８】１台板
２側面板
３、４、５取り付け板
６、７くりぬき穴
８窪み
９ずれ落ち防止桟
１０組み立て用ネジ穴
【図１】
2007229424.tif 000003
【図２】
2007229424.tif 000004
【図３】
2007229424.tif 000005
【図４】
2007229424.tif 000006
【図５】
2007229424.tif 000007
(57)【要約】【課題】  あかすりの本体は、広げたままでも、ポケットに収納し丸めても使用でき、かつ、ポケットに設けた指の穴から、親指と小指を出せるので、手を広げてもあかすりが手から脱落しない。【解決手段】  あかすり本体のほぼ中央に収納ポケットを形成し、収納ポケットに本体が収納できるため、あかすりの厚さを増すことができ、かつ、親指と小指でしっかり把持できるので安定した状態で使用できる。【選択図】図３
2007229425.tif 000002
【特許請求の範囲】
【請求項１】
（１）  あかすり本体の中央あるいは任意の位置に、手首が入る大きさと形状を持った収納ポケットを形成し、この収納ポケットの一端に、手首を挿入することができる大きさの開口部と親指及び小指を出すことができる大きさの穴を開けたことを特徴とするポケットつきあかすり。
【発明の詳細な説明】
【技術分野】
【０００１】あかすり、たわしに関する。
【背景技術】
【０００２】  これまで布にポケットをつけそのまわりをひっくり返しながらポケットに入れて使用できるあかすりがあるが、それは、丸めて使用できる便利さはあるが、手を広げると手から落ちてしまう不便さがある。また袋に親指のでる穴を開けたものがあるが、それは単に袋に穴を開けたもので、袋の外周部がないので、袋だけでは厚みがなく使いづらい。
【発明の開示】
【発明が解決しようとする課題】
【０００３】  本発明は、上記の実情に鑑みてなされたもので、▲１▼布を広げたままでも丸めても使用できるもので、かつ、使用中に指を広げても手からあかすりが落ちないもの、▲２▼平らな布を丸めてポケットに収納できるもの、▲３▼手を手首まで入れて、あかすり全体に立体的な厚みを持たせて使用できるもの、▲４▼収納ポケットの中に手を入れたとき、親指と小指で把持することができるもので、凹凸のある身体を洗い易くすることのできる浴用あかすりを得ようとするものである。
【課題を解決するための手段】
【０００４】  あかすり本体の中央あるいは任意の位置に形成された手首まで入る大きさと形状を持った収納ポケット、その収納ポケットの一端に形成された手首を挿入することができる大きさの開口部と、親指と小指をだすことができる大きさに開けた穴より構成する。
【発明の効果】
【０００５】  本発明は上記構成であるため、あかすり本体を、ポケットの開口部で反転してポケットの中に丸めて収納すると、あかすり部が厚くなり使用効果が向上する。
更に、収納ポケットの開口部から手を手首まで入れたときに親指と小指が位置する部分に開けた穴から、親指と小指を出して使用すると、指が自由に動くようになって凹凸のある身体を洗い易くなるとともに、従来品のようにあかすりから手を離しても落とすことがなくなり、使い易さが向上した。
【発明を実施するための最良の形態】
【０００６】  本発明の実施形態について、以下図面に基づいて説明する。
本発明の反転ポケットつきあかすりは、図１に示すように、あかすり本体１と収納ポケット２から構成されている。本体１の表面のほぼ中央または任意の位置に手首まで入る大きさの収納ポケット２を縫い付ける。ポケットの一部は、本体１と手首を入れるため開口部として縫わない。また、図２に示すように、親指と小指の位置する箇所に指を出す開口を設ける。手首のところには、手首にフィットさせるための伸縮ゴムを入れる。
【実施例】
【０００７】  本発明の反転ポケットつきあかすりの使用方法について以下説明する。図１に示すあかすり本体１をポケットの開口部５から本体１を反転させながら、ポケット２の中に差し入れると丸めた状態になり、厚さが増大する。更に図２に示す開口部５から手を手首まで差し入れ、図３に示すように、３の指だし穴から親指及び小指を出す。
【産業上の利用可能性】
【０００８】
【図面の簡単な説明】
【０００９】
【図１】  本体にポケットを形成した状態の平面図である。
【図２】  本体に固着したポケットの中に、ポケットの周囲を差し入れたところの斜視図である。
【図３】  ポケットから親指をだしたところの使用状態を示す斜視図である。
【符号の説明】
【００１０】１  あかすり本体
２  ポケット
３  指だし穴
４  伸縮ゴム
５  開口部
６  縫い目
【図１】
2007229425.tif 000003
【図２】
2007229425.tif 000004
【図３】
2007229425.tif 000005
(57)【要約】【課題】この発明は開閉部分を開き、布団にカバーの角を合わせて被せることでカバー内に布団が入るしくみの布団カバーに関するものである。【解決手段】「コ」の字型の場合、カバーの片面（１布と２布の間、２布と３布の間）の２箇所と側面（２布と４布の間）１箇所に５接合部品を設け、１布２布３布と４布の周囲を縫い合わせる。「く」の字型の場合、カバーの片面（６布と７布の間、７布と８布の間）の２箇所に５接合部品を設け、６布７布８布と９布の周囲を縫い合わせる。「Ｌ」字型の場合、１０布と１１布のタテ３０ｃｍヨコ２５ｃｍ程度残して、一方の角にＬ字型に５接合部品を設け１０布と１１布の周囲を縫い合わせる。【選択図】図１
2007229429.tif 000002
【特許請求の範囲】
【請求項１】
開閉部分を開き、布団とカバーの角を合わせて被せると、カバー内に布団が入るしくみの布団カバー。
【発明の詳細な説明】
【技術分野】
【０００１】  この発明は布団にカバーを着脱する際、開閉部分を開き、布団とカバーの角を合わせて被せることで、カバー内に布団が入るしくみの布団カバーに関するものである。
【背景技術】
【０００２】  従来の布団カバーは左右どちらか一方の側面が開閉し、そこへ布団を出し入れすることでカバーを着脱するものであった。したがって、このカバーを使用する時はまず、大きく重量のある布団を持ち上げてカバーの中に入れ、布団とカバーの四隅を合わせ、開閉部分を閉じて布団がごわつかない様平らに均すという力仕事を伴った。このようにきちんとカバー掛けするには、扱いにくい布団を何度も押し込んだり引っ張ったりしなければならず、非常に骨の折れる作業であった。
【発明が解決しようとする課題】
【０００３】  このため、この煩わしい布団のカバー掛けをできるだけ行わなくてもすむよう、予めカバー掛けした布団の上にシーツを敷き、そのシーツのみをこまめに洗濯することでカバーの洗濯回数を減らしたり、あるいはシーツのみでカバーを使用しないなどしていた。
【課題を解決するための手段】
【０００４】  本発明はこうした欠点を除さ、着脱が容易で使用しやすい布団カバーを開発しようとするものである。このための手段として、カバーの開閉部分が３箇所開閉する片仮名の「コ」の字型と、２箇所開閉する平仮名の「く」の字型、ローマ字の「Ｌ」字型の３タイプあるので「コ」の字型から順にこの構成を説明すると、
（イ）仮に、布の向きを人が布団に横たわった状態で頭から足の向きをタテ、右手から左手の向きをヨコと設定する。
（ロ）１布はタテの長さの６分の１ないし５分の１、２布は６分の４ないし５分の３，３布は６分の１ないし５分の１程度の長さとする。
（ハ）１布と２布、２布と３布の間の２箇所に、５接合部品を設ける。
（ニ）１布、２布、３布と４布の周囲を縫い合わせる。この際、２布と４布の一方は５接合部品を取り付けるため縫い合わせずにおく。
（ホ）（ニ）であけておいた２布と４布の間に５接合部品を設ける。
次に「く」の字型の構成を説明すると、
（イ）コの字型と同じく、カバーの片面にあたる布をくの字型に切り分ける。切り分けた３枚の布はそれぞれ６布、７布、８布とする。
（ロ）６布と７布、７布と８布の間に５接合部品を設ける。
（ハ）６布７布８布と９布の周囲を縫い合わせる。
最後に［Ｌ］字型の構成を説明すると、
（イ）１０布と１１布を重ね、タテ２０ｃｍヨコ２５ｃｍ程度残した角にＬ字型に５接合部品を設ける。
（ロ）１０布と１１布の周囲を縫い合わせる。
以上のように構成する。
なお、５接合部品はファスナー、マジックテープ、ボタン等手軽に開閉するものであればなんでもよい。
【発明を実施するための最良の形態】
【０００５】  本発明はこのような構造であるからこれを使用するときは、まず全ての５接合部品を開き、コの字型なら４布、くの字型なら９布を布団の表側にしてカバー両端（１布と４布、３布と４布）（６布と９布、８布と９布）の袋状になった部分を布団の両端にかぶせてひっくり返し、開いている５接合部品を閉じればよい。Ｌ字型は布団との表裏をあわせてかぶせ、５接合部品を閉じる。なお取り外す際はこの逆を行う。またコの字型と、くの字型の５接合部品は掛け布団なら布団の表、敷布団なら裏側に取り付けると使用時にごわつかず違和感がない。
【発明の効果】
【０００６】  このように、布団とカバーの角を合わせることでカバー内に布団が入るため、入れてから合わせる従来のものよりも、時間的体力的にかなり効率よくカバーの着脱が行えるのである。
【図面の簡単な説明】
【図１】「コ」の字型の開閉部分を開いた状態の斜視図
【図２】「コ」の字型の開閉部分を閉じた状態の斜視図
【図３】「く」の字型の開閉部分を開いた状態の斜視図
【図４】「く」の字型の開閉部分を閉じた状態の斜視図
【図５】「Ｌ」字型の開閉部分を開いた状態の斜視図
【図６】「Ｌ」字型の開閉部分を閉じた状態の斜視図
【符号の説明】
１は布
２は布
３は布
４は布
５は接合部品
６は布
７は布
８は布
９は布
１０は布
１１は布
【図１】
2007229429.tif 000003
【図２】
2007229429.tif 000004
【図３】
2007229429.tif 000005
【図４】
2007229429.tif 000006
【図５】
2007229429.tif 000007
【図６】
2007229429.tif 000008
(57)【要約】【課題】  本発明は、液体調味料容器の蓋に調味料計量表示部を設けた注排出管を貫通させたスポイト部材を設けた多機能液体調味料容器を提供する。【解決手段】  注ぎ口を有する任意の液体調味料容器と、該液体調味料容器の蓋と、該蓋の一部に設けられた排出用ガイド溝と、前記蓋の中央に貫通するように設けられるとともに蓋上部に操作部が露出し注排出管が容器内に位置するように設けられたスポイト部材とより構成され注排出管に調味料計量表示部を設けたことを特徴とする多機能液体調味料容器。【選択図】図１
2007229415.tif 000002
【特許請求の範囲】
【請求項１】
注ぎ口を有する任意の液体調味料容器と、該液体調味料容器の蓋と、該蓋の一部に設けられた排出用ガイド溝と、前記蓋の中央に貫通するように設けられるとともに蓋上部に操作部が露出し注排出管が容器内に位置するように設けられたスポイト部材とより構成される多機能液体調味料容器。
【請求項２】
注排出管に調味料計量表示部を設けたことを特徴とする請求項１記載の多機能液体調味料容器。
【発明の詳細な説明】
【技術分野】
【０００１】  本発明は、液体調味料容器の蓋に注排出管を貫通させたスポイト部材を設けた多機能液体調味料容器に関するものである。
【背景技術】
【０００２】  従来の液体調味料容器は、メモリが付いているものもあったが、少量を正確に計量することができず、計量スプーンが必要であった。
また、スポイトを単体として少量の調味料を注ぐことはあった。
【発明の開示】
【発明が解決しようとする課題】
【０００３】  そのために次のような問題点があった。
（イ）従来の液体調味料容器は、大量に出るので、つい出しすぎていた。
（ロ）容量によって数種類（数本）の計量スプーンを使い分けし、すりきりで量る計量方法なので、急いでいる時などは特に零すことが多かった。
（ハ）同計量スプーンで何杯も計量を繰り返すことが不便であった。
（ニ）計量スプーン自体の面積が広く、液体に使用する際、表面張力の影響を受けやすく正確さに欠ける。
（ホ）計量スプーンをいろいろ取り出す必要があった。
本発明は以上の問題点を解決しようとするものである。
【課題を解決するための手段】
【０００４】  注ぎ口を有する任意の液体調味料容器と、該液体調味料容器の蓋と、該蓋の一部に設けられた排出用ガイド溝と、前記蓋の中央に貫通するように設けられるとともに蓋上部に操作部が露出し注排出管が容器内に位置するように設けられたスポイト部材とより構成され注排出管に調味料計量表示部を設けたことを特徴とする多機能液体調味料容器である。
【発明の効果】
【０００５】  本発明は液体調味料容器の蓋に注排出管を貫通させたスポイト部材を設けたことにより、液体を注ぎ口から大量に出すという従来の液体調味料容器の機能に加え、スポイト部材の注排出管から液体を少量出すことが可能になった。
何杯も計量を繰り返していた動作が、零すことなく一回で計量できるようになった。
また請求項２より、少量の液体をより正確に計量できるようになった。
液体調味料容器に、はめる蓋の排出ガイド溝の向きによって、注ぎ口から液体が流れ出ないように調節することができる。
【発明を実施するための最良の形態】
【０００６】以下、本発明の実施の形態を説明する。
本発明は、図１及び図２に示すように、容器本体（２０）と、蓋（３）と、スポイト部材（２１）から構成されている。
容器本体（２０）は、容器（４）、注ぎ口（５）、把手（６）、ネック（７）、開口部（８）より構成される。
材質は中が見える透過性のものであり、液体調味料が美しく見えるように、ガラスが特に好ましい。
蓋（３）は、容器（４）のネック（７）の内径に、蓋（３）の外径が、はまる大きさとなっている。
排出ガイド溝（１０）が蓋（３）の一箇所に設けられている。このとき、排出ガイド溝（１０）の位置が、注ぎ口（５）に当たる角度によって、液体が零れるのをふせぐ役目ができるように、蓋（３）の上部まで排出ガイド溝を貫通させないようになっている。
蓋（３）の中央には貫通孔（９）が設けられ、その中にスポイト部材を通し固定するようになっている。
蓋（３）は、ザラザラに加工した透明なガラスを使用し、容器（４）のネック（７）から開口部（８）までが美しく見えるようにするのが好ましい。
スポイト部材（２１）は、かわいらしく美しいゴムで作られ、取り替えて楽しめるようなゴムからなる操作部（１）と先端が狭められ、プラスティックのような透明な注排出管（２）から構成される。
注排出管（２）は、液体調味料計量表示部が設けられている。
液体調味料計量表示部は、図６ｂに示すように、大、中、小さじを目安にそれぞれ数杯分まで表示したものや、図６ａに示すように，通常の容量計量メモリもつけられている。
本発明は、以上の構成よりなっている。
本発明を使用するときは、容器本体（２０）の容器（４）にある注ぎ口（５）と、蓋（３）の排出ガイド溝（１０）の位置を合わせることが必要で、使用しない保管時は、位置をずらせば零れない。
これを説明したものが、図４であり、図４（ａ）は、保管時のＡ−Ａ断面、図４（ｂ）は、保管時のＢ−Ｂ断面、図４（ｃ）は、使用時のＡ−Ａ断面、図４（ｄ）は、使用時のＢ−Ｂ断面である。
少量を正確に計量する場合は、図５（ａ）に示すように、容器（４）に蓋（３）をする事で、スポイト部材（２１）の注排出管（２）の下端が液体内に入った状態となっている。
図５（ｂ）に示すように、スポイト部材（２１）の操作部（１）を押すことで、スポイト部材内の空気が排出され、図５（ｃ）に示すように、操作部（１）から手を離すことで、注排出管（２）に液体が吸い込まれる。
図５（ｄ）に示すように、スポイト部材（２１）を蓋（３）ごと容器（４）のネック（７）から持ち上げ、注排出管（２）の中にある余分な液体を液体調味料計量表示部に合わせて、操作部（１）を再び押すことにより排出調節する。
図５（ｅ）に示すように、容器（４）から完全にスポイト部材（２１）を取り出し、液体を出したい場所で再び操作部（１）押すことで、必要な分を少量でも正確に計量することができる。
従来の液体調味料容器のように、大量に計量する場合は容器本体（２０）の容器（４）にある注ぎ口（５）と、蓋（３）の排出ガイド溝（１０）の位置を合わせ、しっかり蓋（３）が容器（４）のネック（７）にはまっていることを確認してから把手（６）をもって容器を傾ける。
【図面の簡単な説明】
【０００７】
【図１】本発明の説明図
【図２】本発明の分解斜視図
【図３】本発明のＢ−Ｂ断面図
【図４】本発明の使用状態を示す要部断面図
【図５】スポイト部材の使用説明図
【図６】スポイト部材の注排出管に示す調味料計量表示部
【符号の説明】
【０００８】  １  操作部
２  注排出管
３  蓋
４  容器
５  注ぎ口
６  把手
７  ネック
８  開口部
９  貫通孔
１０  排出ガイド溝
２０  容器本体
２１  スポイト部材
【図１】
2007229415.tif 000003
【図２】
2007229415.tif 000004
【図３】
2007229415.tif 000005
【図４】
2007229415.tif 000006
【図５】
2007229415.tif 000007
【図６】
2007229415.tif 000008
(57)【要約】【課題】  乳幼児を腕に抱いた状態で寝かせた後、睡眠中の乳幼児を寝具に寝かせる際、乳幼児に気付かれないように睡眠中のまま寝かせる、乳幼児用寝具を提供する。【解決手段】  平状の基台の表面にクッション素材からなる頭部受部を設け、溝を介して、クッション素材からなる胴体受部を設け、溝を埋めるためのクッション素材からなる筒状枕を設け、筒状枕の片面に取っ手を設け、睡眠中の乳幼児を寝かせることを特徴とする乳幼児用寝具。【選択図】図１
2007229412.tif 000002
【特許請求の範囲】
【請求項１】
平状の基台の表面にクッション素材からなる頭部受部を設け、溝を介して、クッション素材からなる胴体受部を設け、溝を埋めるためのクッション素材からなる筒状枕を設け、筒状枕の片面に取っ手を設け、睡眠中の乳幼児を寝かせることを特徴とする乳幼児用寝具。
【発明の詳細な説明】
【技術分野】
【０００１】  本発明は、乳幼児を腕に抱いた状態で寝かせた後、睡眠中の乳幼児を寝具に寝かせる際、乳幼児に気付かれないように睡眠中のまま寝かせる、乳幼児用寝具に関するものである。
【背景技術】
【０００２】  従来、乳幼児を抱いたり、背負ったりして寝かせた後は、眠った状態で布団やベットへ下ろして寝かせている。
睡眠中の乳幼児を布団やベットに下ろして寝かせる際、頭部を支えている腕を外す動作により、睡眠中の乳幼児を再び起こしてしまうことがある。
【発明が解決しようとする課題】
【０００３】  そのために、次のような問題点があった。
（イ）睡眠中の乳幼児の頭部を支えている腕を外す動作により、頭部を揺らすことで、再      び起こしてしまう。
（ロ）乳幼児の足、腰などを寝具に下ろした後、空いた方の手で頭部上方を持ち上げてか      ら、頭部を支えている腕を静かに外すので、神経を使う作業であった。
（ハ）睡眠中の乳幼児を寝かせる際に目が覚めてしまうと、再度乳幼児を抱いて、睡眠さ      せてから寝かせる作業をやり直すことになり、悪循環であった。
本発明は以上の問題点を解決しようとするものである。
【課題を解決するための手段】
【０００４】  基台の表面に頭部受部を設け、溝を介して、胴体受部を設ける。溝を埋めるための筒状枕を設け、筒状枕の片面に取っ手を設ける。そして、睡眠中の乳幼児を寝かせる際、頭部を支えている手に、溝を埋めるための筒状枕の取っ手を持ち、腕を寝具の溝にあてがい、溝から腕を横に抜きながら、筒状枕を溝に差し込み、睡眠中の乳幼児の頭部下にあてがう。以上を特徴とする乳幼児用寝具である。
【発明の効果】
【０００５】  本発明は、睡眠中の乳幼児の頭部を支えている腕を乳幼児用寝具の溝にあてがうため、すでに睡眠中の乳幼児の頭部が頭部受部と胴体受部に支えられた状態になっている。乳幼児用寝具の溝にあてがっている腕を外す動作が、直接睡眠中の乳幼児に伝わることがない。
また、乳幼児用寝具の溝から腕を横に抜く動作により、乳幼児用寝具の溝に筒状枕が差し込まれるため、しっかりと頭部を支えることができる。したがって、睡眠中の乳幼児の睡眠を維持させながら、寝かせることができる。
【発明を実施するための最良の形態】
【０００６】  以下、本発明の実施の形態を説明する。
（イ）長方形からなるプラスチック平板の基台（３）の表面前方に、低反発ウレタンフ        ォームからなる直方体の頭部受部（１）を設ける。
（ロ）基台（３）の表面前方に、頭部受部（１）があり、その後方に、低反発ウレタン        フォームからなる筒状枕（４）が入る程度の溝（６）を設ける。
（ハ）基台（３）の溝（６）を介した後方に、低反発ウレタンフォームからなる滑り台        状の緩やかな傾斜のある胴体受部（２）を設ける。
（ニ）溝（６）を埋めるための筒状枕（４）を設け、筒状枕（４）の片面に紐からなる        取っ手（５）を設ける。
（ホ）基台（３）は滑りの良いプラスチック材質からなり、筒状枕（４）は溝（６）に        差し込み自由とする。
（ヘ）溝（６）に入る筒状枕（４）は、頭部受部（１）と胴体受部（２）の高さよりも        、低いものとする。
本発明は、以上の構成よりなっている。
本発明を使用するときは、筒状枕（４）を外しておく。
抱いた状態の睡眠中の乳幼児（７）の頭部を支えている手（９）に、筒状枕（４）の取っ手（５）を持ち、溝（６）に睡眠中の乳幼児（７）の頭部を抱いた腕（８）をあてがう。その時点で睡眠中の乳幼児（７）の頭部は頭部受部（１）と胴体受部（２）で支えられるので、腕（８）を抜いても差し支えがない。
また、腕（８）を抜くことで筒状枕（４）が溝（６）に差し込まれ、睡眠中の乳幼児（７）の頭部を支えることができる。
【図面の簡単な説明】
【０００７】
【図１】本発明の斜視図
【図２】本発明の分解斜視図
【図３】本発明の断面図
【図４】本発明の使用状態を示す断面図
【図５】本発明の使用状態を示す平面図
【符号の説明】
【０００８】      １  頭部受部
２  胴体受部
３  基台
４  筒状枕
５  取っ手
６  溝
７  乳幼児
８  腕
９  手
【図１】
2007229412.tif 000003
【図２】
2007229412.tif 000004
【図３】
2007229412.tif 000005
【図４】
2007229412.tif 000006
【図５】
2007229412.tif 000007
(57)【要約】      （修正有）【課題】浴槽に溜める水の節水を目的とし、座り心地、高齢者また体の不自由な人の為の補助器具や本発明自体が保温器具になるもの、風呂の湯を保温するものを提供する。【解決手段】袋状の座布団５を形成し、前記座布団５を浴槽４に入れることでその体積分の節水効果を発揮し、また、保温効果のある材質を使用し、また、水との比重、適度な加重への追従性と弾力を考慮した材料を使用することで上記の課題を解決する。【選択図】図４
2007229414.tif 000002
【特許請求の範囲】
【請求項１】
浴槽に入れることで浴槽に溜める水の節水を目的とし、適度な弾力と加重に追従する材料で保温性に優れたものを使用することで、同時に、座り心地、高齢者また体の不自由な人の為の補助器具、保温器具、風呂の湯を保温する器具にもなる節水の為の風呂用座布団。
【発明の詳細な説明】
【技術分野】
【０００１】本発明は浴槽の中に入れて使用することを基本とするものである。
【背景技術】
【０００２】トイレタンクの節水器具は幾つもあるが、浴槽用の節水器具は無いようである。
【発明の開示】
【発明が解決しようとする課題】
【０００３】私達日本人は、兎角湯船に浸かる習慣があるので浴槽に溜める水の量は相当な量になる。この毎日のように使用する相当量の水を節水することが本発明の解決しようとする課題である。【０００４】また、同時に、座り心地、高齢者また体の不自由な人の為の補助器具や本発明自体が保温器具になるもの、風呂の湯を保温するものを提供する
【課題を解決する為の手段】
【０００４】本発明による上記課題の解決手段は、以下に述べる器具による。
ゴム又はビニールのような袋状のものの中に充填材を入れたもの［図１］（この袋状のものと充填材はそこに加えられた加重に対してその形が追従するもの）
または、袋状の外見と充填材の中身とを分けずに一体となったもの［図２］（この材質も加えられた加重に対してその形が追従するもの）
この［図１］［図２］の器具を［図３］〜［図８］のように浴槽に入れ、使用する。
［図１］［図２］の材は保温効果のあるものが望ましい
【発明の効果】
【０００５】［図１］［図２］のようなクッション状のものを浴槽に入れることで、その体積分の節水効果を得ることが出来る。
【０００６】［図５］のように小さな形状のものにすると、風呂の湯で温まったものを湯たんぽ代わりに使用することも出来る。
【０００７】［図７］のように人が乗らなければ湯に浮くものとすれば、風呂の湯が冷めにくくなる効果も得ることが出来る。
【０００８】弾力に配慮することで、風呂の中での座り心地を確保することが出来る。また、やはり弾力によっては、高齢者や体の不自由な人の体を固定する役もなす。
【発明を実施する為の最良の形態】
【０００９】用途に応じた弾力と加重に追従し、快適な座り心地を得ることの出来る材料で、かつ風呂の湯を冷まさないように保温性に優れた材料を使用し、十分に節水効果の得られる体積を確保することが最良の形状である。
【実施例】
【００１０】実施例としては、本発明品を湯を張った浴槽に入れるだけである。
【産業上の利用可能性】
【００１１】節水効果を得るだけでなく［図７］のように風呂に張った湯を冷めにくくするなど、エネルギー、資源等環境における影響も少なくなく、これからの産業には欠かせない部分も補う。その結果光熱費の軽減にもつながる。
【図面の簡単な説明】
【図１】袋状の材に充填材を入れた本発明品概念図
【図２】単一の材料で作る本発明品概念図
【図３】体積の大きい本発明品を一つ浴槽に入れた概念図
【図４】（図３）の本発明品に人の荷重が加わった時の概念図
【図５】体積の小さな本発明品をいくつか浴槽に入れた概念図
【図６】（図５）の本発明品に人の荷重が加わった時の概念図
【図７】水より比重の軽い本発明品を湯船に浮かべた時の概念図
【図８】（図７）の本発明品に人の荷重が加わった時の概念図
【符号の説明】
１本発明の充填材を入れる袋状の表皮
２充填材
３［図１］のように外見と中身を分けることなく単一の材料で作る本発明
４浴槽
５本発明品
６水面
７人（加わる荷重を示す）
【図１】
2007229414.tif 000003
【図２】
2007229414.tif 000004
【図３】
2007229414.tif 000005
【図４】
2007229414.tif 000006
【図５】
2007229414.tif 000007
【図６】
2007229414.tif 000008
【図７】
2007229414.tif 000009
【図８】
2007229414.tif 000010
(57)【要約】      （修正有）【課題】カイロを背中の任意の高さに当てることができるナップサック型カイロ装着用収納袋を提供する。【解決手段】長さを調節するためのコードストッパーと脱着可能な接続器具を通した肩ひも２を  上方が開放された収納袋１の四隅に、左右一対として取り付けたナップサック型カイロ装着用収納袋。衣服を脱ぎ着する必要がなく、手間と身体的な苦痛と衣服のダメージがなくなる効果がある。【選択図】図１
2007229418.tif 000002
【特許請求の範囲】
【請求項１】
長さ調節をするためのコードストッパーと脱着可能な接続器具を通した肩ひもを  上方が開放された収納袋の四隅に、左右一対としてつけ、背中の任意の高さに当てることができるナップサック型カイロ装着用収納袋。
【発明の詳細な説明】
【技術分野】
【０００１】本発明は、カイロを背中の任意の高さに当てることができるナップサック型のカイロ装着用収納袋に関するものである。
【背景技術】
【０００２】現在、カイロを背中の任意の高さに固定して当てるときは、粘着テープのついたカイロを衣服に貼る方法がある。
【発明の開示】
【発明が解決しようとする課題】
【０００３】それには、次のような問題点があった。
（イ）限定された場所だけが高温になったり、気付かないうちに、低温やけどを負うことがあった。
（ロ）（イ）を防ぐために、位置をずらして貼りかえようとすると、そのつど衣服を脱ぎ着しなければならなかった。
（ハ）カイロをはがす時、衣服を傷めることがあった。
（ニ）貼りかえた後、粘着力が低下しているので、衣服からはがれ落ちることがあった。
本発明は、これらの問題点を解決するためになされたものである。
【課題を解決するための手段】
【０００４】長さ調節をするためのコードストッパーと脱着可能な接続器具を通した肩ひもを上方が開放された収納袋の四隅に、左右一対として取り付ける。以上を特徴とするナップサック型カイロ装着用収納袋である。
【発明の効果】
【０００５】衣服を脱ぎ着することなく、背中の任意の高さにカイロの位置を移動させることができ、手間と身体的な苦痛と衣服のダメージがなくなった。
【発明を実施するための最良の形態】
【０００６】以下、本発明の実施の形態について説明する。
（イ）カイロ収納袋１は、上方に出し入れするための開放部を設ける。
（ロ）肩ひも２には、長さを調節できるように、それぞれコードストッパー３を通す。
（ハ）コードストッパー３から先の輪になる部分には、接続器具４を通す。
（ニ）肩ひも２を左右一対として、ナップサックのようにカイロ収納袋１の四隅に設ける。
本発明は、以上のような構成からなるので、これを使用するときは、次のようにする。
【実施例１】カイロを背中の高い位置で固定させるときは、肩ひも２をコードストッパー３で調節しながら引っ張り縮め、カイロを高い位置まで引っ張りあげる。このとき、左右の接続器具４どうしをつないで、肩ひも２を納まりよくする。また、衣服に固定するための安全ピンのような機能を備えたコードストッパーを使用すると、確実な固定ができる。
【実施例２】逆にカイロを背中の低い位置で固定させるときは、肩ひも２をコードストッパー３で緩め伸ばしながら調節し、カイロを低い位置に滑らせ、コードストッパー３をウエスト付近まで移動させる。左右の接続器具４どうしをつないで、肩ひも２を安定させる。
【実施例３】カイロを実施例１と実施例２の中間の任意の高さで固定させるときは、肩ひも２の長さを調節しながら、コードストッパー３の位置を体形や衣服の都合に合わせて納まりのよいところに決める。接続器具４どうしをつなぎ、納まりよくする。
【実施例４】カイロ収納袋１は、図２のように、中に仕切り布５を設けると、どちらに入れるかで、温度を調節することができる。
【図面の簡単な説明】
【０００７】
【図１】本発明の斜視図
【図２】本発明の実施例４の仕切り布５を設けた斜視図
【図３】本発明の実施例１についての装着正面図
【図４】本発明の実施例１についての装着背面図
【図５】本発明の実施例２についての装着正面図
【図６】本発明の実施例２についての装着背面図
【符号の説明】
【０００８】１  カイロ収納袋
２  肩ひも
３  コードストッパー
４  接続器具
５  仕切り布
【図１】
2007229418.tif 000003
【図２】
2007229418.tif 000004
【図３】
2007229418.tif 000005
【図４】
2007229418.tif 000006
【図５】
2007229418.tif 000007
【図６】
2007229418.tif 000008
(57)【要約】【課題】入浴し背中４を洗う際に、タオル３を細長くしてその両端を持ち左右上下に動かして洗うので力がタオル３全体に伝わってしまい撫でる程度にしか洗えないのと、腕５を後ろにまわしてタオル３の両端を持つときにできる背中の窪みなどいつも洗うことができない状態にあるところをうまく洗えるようにタオル３の中心に突起物２のあるボール１を巻いて力強くきれいに洗える道具を提供します。【解決手段】表面に突起物２のあるボール状のものをタオル３に巻きタオル３の両端を持って左右上下に動かし背中４の窪みもかゆい所もすべてボール１によってできた小さな面で力強く洗うことができるようにします。【選択図】図１
2007229413.tif 000002
【特許請求の範囲】
【請求項１】
入浴の際、手が届かなくて洗いにくい背中をこする時、タオルを細長くしてその両端を持って洗うのだがそのタオルの中心に表面がでこぼこしたボールを包んで洗いいつもタオルだけではあまり力が入らず撫でる程度にしか洗えないところや背中の窪んだ部分にも力がしっかり入ってすっきり洗える道具を提案します。
【発明の詳細な説明】
【技術分野】
【０００１】本発明は入浴中に背中を洗うのにタオルの中心に表面がでこぼこしたボールを巻いて細長くしたタオルの両端を持ち左右上下に動かしてタオルだけでは洗えない背中の窪んだ部分や力の入り難い部分をすっきり洗えるようにしたものです。
【背景技術】
【０００２】従来は入浴中に背中を洗うのに長細くしたタオルの両端を持って左右上下に動かしても、その力がタオル全体に伝わってしまって背中を力強く洗うことはできなかった。また、腕を後ろにまわした際にできる窪みや背骨に沿ってある窪みはいつも洗うことができないでいた。ボディーブラシを使っても腕を後ろにまわすのでやはり力が入りにくかった。
【発明の開示】
【発明が解決しようとする課題】
【０００３】入浴時に背中を洗う場合タオルを細長くし、その両端を持って左右上下に動かして洗うのですがタオルを前に引っ張って力を加えてもタオルの面全体に力が分散してしまい背骨に沿ってできる窪みや腕を後ろにまわした時にできる窪みをいつも洗うことができないでいた。いつも撫でる程度にしか洗えない場所には吹き出物ができてしまった。また、かゆい所など力強く洗うことはできなかった。ボディーブラシを使ってもやはり腕を後ろに回すので力が入らず思うようには洗えないでいた。本発明はこれらの課題を解消するためになされたものです。
【課題を解決するための手段】
【０００４】表面がぼつぼつしたボール１をタオル３の中心に巻き、タオル３を細長くしてその両端をひっぱり左右上下に動かして洗う。表面に突起物２を作ることでタオル３の中でボール１が動いてしまわないで確実に力がボール１の部分に伝わるようにする。
【発明の効果】
【０００５】いつも使用しているようなタオル３を細長くして両端を持って左右上下に動かして洗うのだが、本発明の突起物２のあるボール１をタオル３の中心に巻いてあるのでそのボール１に力が加わり背中４を力強く洗うことができる。またボール１の表面に突起物２があるのでタオル３の中にこのボール１を固定することができボール１に確実に力を伝えることができる。腕５を後ろにまわしたときにできる窪みや背骨に沿ってできる窪みなどいつも洗うことができなかったところにも、このボール１を入れることによってできた小さな面で力強く洗うことができる。
【実施例】
【０００６】（イ）ボール１の突起物２は皮膚を傷つけないように先が尖ったものではなく背中４を洗える面積を広くするため平面に近い体にする。
（ロ）材質は多少弾力がある方が良いと思います。
【図面の簡単な説明】
【０００７】
【図１】本発明の正面図である。
【図２】本発明の断面図である。
【図３】本発明の使用図である。
【図４】本発明の使用図である。
【符号の説明】
【０００８】１  ボール本体
２  突起物
３  タオル
４  背中
５  腕
６  頭
【図１】
2007229413.tif 000003
【図２】
2007229413.tif 000004
【図３】
2007229413.tif 000005
【図４】
2007229413.tif 000006
(57)【要約】【課題】  農作物の穫り入れ、肥料袋やコメ袋などで滑り落ち易く掴みにくいもの、小さいものなどを一度に多くを抱えて移送するとき、また、介護や育児で病人や乳幼児を寝かせた状態で背中側から抱きかかえるとき、両腕で抱きかかえて安全に移送するための抱きかかえ補助具を提供する。【解決手段】  帯状になった布などの部材の両側に、腕の挿し入れ可能な大きさの環状体（２）を設けて補助具本体（１）とし、前記環状体（２）は部材を二重にして、その内部に腕の挿し入れを容易にするための緩衝材（４）を充填し、抱きかかえ時に補助具本体（１）と抱え対象の保持を同時に行なえる親指挿し入れ穴（３）を環状体の四隅を形成する部位に各々開口し、さらに、本体中央縁部に、抱きかかえた対象の安定保持ができるタック状つまみ（５）を設けたことを特徴とする、抱きかかえ補助具。【選択図】図４
2007229420.tif 000002
【特許請求の範囲】
【請求項１】
両側を、腕を差し込み可能な大きさの環状体とした、帯状の抱きかかえ補助具であって、両側の環状体の間にある帯状の平面部の中央においては、中心が袋状になるようにタック状のつまみを両縁部に、また前記環状体の四隅を形成する部位においては、親指を挿入可能な親指挿し入れ穴を、各々少なくとも一つ以上開口してなることを特徴とした、抱きかかえ補助具。
【請求項２】
前記環状体の厚み部位において、緩衝材を充填したことを特徴とした請求項１記載の抱きかかえ補助具。
【発明の詳細な説明】
【技術分野】
【０００１】  この発明は両側にある帯状の環状体の中に腕を挿し入れ、両腕の間に掛け渡った帯の上に、ものを載せて抱え上げて移送する、抱きかかえ補助具に関するものである。
【背景技術】
【０００２】  従来、抱きかかえる時にすべり落ち易いものや、小さなものを一度に移送する場合に用いるカゴや風呂敷等の補助具はよく知られている。また輪状にした巾のある帯を両腕に掛け渡して抱え用具として使用するものもある。
【発明の開示】
【発明が解決しようとする課題】
【０００３】  従来の抱え補助具には次のような問題点があった。
補助具が硬くて抱え上げたものが不安定である。携帯も不便である。補助具と抱きかかえるものとを同時に保持することに難点がある。等々である。
本発明は以上のような問題点を無くすためになされたものである。
【課題を解決するための手段】
【０００４】  帯状の中央部の両側に腕の挿し込み可能な大きさの環状体を設け、その環状体を二重の構造にしてその内部に腕の保護と、環状体の形状を維持するための緩衝材を充填して、環状体曲面部四隅を形成する部位に、補助具と抱きかかえの対象も同時に保持するための、親指を挿し入れる穴を設け、また、両側の環状体の間にある平面部の中央を、抱きかかえる対象の人や物の形状に添って袋状に膨らむようにして、安定した保持ができるよう中央平面部の縁部にタック状のつまみを設ける。
本発明は、以上の構成よりなる、両腕に掛け渡して使用する抱きかかえ補助具である。
【発明の効果】
【０００５】  抱きかかえ補助具の装着時、腕を差し入れる環状体を形成する部材を二重にした内部に、緩衝材を充填することで、環状体の形状を保持し、腕の挿し入れが容易にできる。同時に抱きかかえる者の腕を保護する効果も兼ねる。また、抱きかかえ補助具の両面が使用できるよう、親指挿し込み穴を環状体四隅を形成する部位四箇所にそれぞれに一つ以上設けることにより、親指を挿入して、環状体端から覗く他の指とで補助具の保持をしながら、容易に抱き上げ対象の下に帯を差し入れることや抱き取りができる。また、帯部中央の両端にタック状のつまみを設けることにより、抱える対象を補助具に載せ、抱え上げる時に帯の中央部が下に膨らみ、容易に安定した保持をしながら移送することができる。
【発明を実施するための最良の形態】
【０００６】以下、本発明の実施の形態を説明する。
（イ）布などの生地やビニール、網などからなる帯状の部材の補助具本体（１）の両側に、腕の挿し込み可能な大きさの環状体（２）を各々設ける。
（ロ）前記環状体（２）を形成する部材を二重にして、その二重の内部に、腕の保護と環状体の形状を保持し、また、腕の差し入れを容易にするための緩衝材（４）を充填する。（図１．の破断図、及び図２．断面図参照）、（請求項２記載）。
（ハ）前記環状体（２）の四隅を形成する部位に、親指を挿入可能な親指挿し入れ穴（３）を各々少なくとも一つ以上設ける。
（ニ）本体中央平面部の両縁部に、抱え上げ対象の人や物を載せる際、平面部中夬が袋状に下に膨らむよう、両縁部にタック状のつまみ（５）を設け、つまみの両縁の折代部を端止め（７）して、さらに、縁テープで包み、補強する。
（ホ）抱え補助具に滑らかに人や物を載せることと、補助具本体（１）の強度の増強を兼ねて、補助具本体（１）の縁周りを縁テープ（６）の部材で包む。（図３．参照）
本発明は以上の構成よりなる。
本発明を使用する場合は、左右の環状体（２）に、掌を上にして夫々の手を挿し込み、親指のみ親指挿し入れ穴（３）に挿入し、環状体（２）縁から覗く他の指とで補助具の端が保持できるようにする。環状体（２）端から覗いた手指の自由を利かせて抱え上げ、人や物の対象の下に敷き込みや取り込みをして、補助具の平面部中央に載せ、タック状つまみ（５）を縁部に施した中央部が、載せた人や物の形状に添って袋状に下に膨らみ、抱え上げた対象のものが安定し、さらに手指で保持することができて安全な抱きかかえができる。
【図面の簡単な説明】
【０００７】
【図１】  本発明の一部破断した斜視図である。
【図２】  本発明の一部正面断面図である。
【図３】  本発明の一部拡大斜視図である。
【図４】  本発明の使用状態を示す部分斜視図である。
【符号の説明】
【０００８】  １．補助具本体
２．環状体
３．親指挿し入れ穴
４．緩衝材
５．タック状つまみ
６．縁テープ
７．端止め
【図１】
2007229420.tif 000003
【図２】
2007229420.tif 000004
【図３】
2007229420.tif 000005
【図４】
2007229420.tif 000006
(57)【要約】【課題】水泳のストローク数のカウントにはビデオ解析や介助者の記録などが必要で困難を極めた。【解決手段】入水カウンターを泳者の体に取り付ければ入水を確実にカウントが出来、タイムデーターとともに記録することにより、水泳技術の評価に必要な距離、タイム、ラップタイム、ストローク数、ストローク長、１ストロークの時間が瞬時に算定表示可能になった。【選択図】図２
2007229416.tif 000002
【特許請求の範囲】
【請求項１】
水泳のストローク数を、泳者の体の一部が水中に出入りする回数をカウントし記録することを特徴とする装置。
【請求項２】
前記装置は通電性の変化あるいは圧力の変化を入水センサーで検知しカウントする。また、泳ぎ始めから終わりまでのタイムも記録し、一定時間以上カウントが進まない時を一時停止として、その回数を記録する。一時停止はプールでのターンの回数に相当するので、水泳の分析に必要な水泳距離、ラップタイム、ストローク数、ターンの回数を記録することを特徴とする装置。
【請求項３】
前記装置は記録されたデーターを分析する機能も備えており、記録終了後は、プールの大きさを入力しておけば、表示を切り替えることにより総水泳距離、ラップタイム、ストローク数、ストローク長、１ストロークの時間を、瞬時に算定表示することを特徴とする装置。
【発明の詳細な説明】
【技術分野】
【０００１】この発明は、水泳のストローク数の記録に関する。
【特許文献１】特開２００４−１８４１１２号公報
【特許文献２】特開２００３−１１７０４１号公報
【背景技術】
【０００２】従来のストロークカウントはビデオ画像を分析することにより算出する方法である。
【発明の開示】
【発明が解決しようとする課題】
【０００３】  しかしながら、以上の技術によれば、泳者がすぐにデーターを得ることが困難であり泳者一人で記録する事すら難しい。
そこで、この発明は、泳者が自分で水泳のデーターを記録し、その場で瞬時に分析結果が得られる事を課題とする。
【課題を解決するための手段】
【０００４】  以上の課題を解決するために、第一発明は、泳者の体につけたセンサーにより入水を確実にカウントすることによって水泳のストローク数を記録する装置である。
また、第二発明は、カウントの開始時間、終了時間、また、一定時間カウントが進まない時間から、一時停止を検出し、一時停止の時間と回数を記録する。一時停止はプールではターンの最中と判断できる。
【発明の効果】
【０００５】  第一発明、第二発明により、プールの大きさを入力しておけば、水泳の技術評価に必要な、水泳距離、タイム、ラップタイム、ストローク数、ストローク長、１ストロークの時間が算定表示可能となり、現場での水泳技術の評価が可能となった。
【発明を実施するための最良の形態】
【０００６】  この発明の一実施例の本体正面図を、図１に示す。泳法により入水を繰返す身体部位が違うので適当と思われる部位に装着する。あらかじめ操作ボタンでプールの大きさを入力しておく。スタートボタンを押して泳ぎ始め、終了時にはストップボタンを押す。
この発明の選択図を図２に示す。カウンター部では一定時間入水センサーからの信号がない場合、ポーズとしてその時刻と回数を記録する。これはターンの最中と判断でき、距離とラップタイムが記録される。【０００７】「実施形態の効果」
この実施形態によれば、ビデオ撮影を必要とせず、水泳のストローク数を正確にカウントすることが出来る。また、その場で水泳距離、タイム、ラップタイム、ストローク数、ストローク長、１ストロークの時間が算定表示可能になった。【０００８】「他の実施形態」
図１の実施形態では、１は入水センサーであったが、他の実施形態では、振動センサー、加速度センサーでも良い。このセンサーの位置は有効に動作する限り、どこに配置しても良い。また、３〜４で示される操作ボタンも、便利に使えるためには、どこに配置しても、ボタンの数を増減してもかまわない。
【図面の簡単な説明】
【０００９】
【図１】この発明の一実施例を示す正面図である。
【図２】この発明の選択図である。
【符号の説明】
【００１０】１  入水センサー    ２  表示部    ３  操作ボタン（−）    ４  操作ボタン（＋）
５  操作ボタン（ＳＴＡＲＴ／ＳＴＯＰ）    ６  操作ボタン（セレクト／ＯＮ／ＯＦＦ）
【図１】
2007229416.tif 000003
【図２】
2007229416.tif 000004
(57)【要約】【課題】基台天板の中央部に、簡単に深さ調節ができる段差をつけることができ、折りたたみ収納ができるテーブルを提供する。【解決手段】基台天板をくり抜いて移動天板とし、それを折りたたみテーブル脚の好みの深さの嵌合部に接合することにより天板に段差を設けることができ、コンパクトに収納できることを特徴とするテーブル。【選択図】図１
2007229417.tif 000002
【特許請求の範囲】
【請求項１】
折りたたみ式テーブル脚に支えを設け、そこに基台天板の中央部をくり抜いた移動天板を下方に移動させ設置し、可変段差をつけることができることを特徴とする折りたたみ式テーブル。
【発明の詳細な説明】
【技術分野】
【０００１】  本発明は、食事などの時に基台天板の中央部に段差をつけ、料理を見やすくしたり、食器類が転倒しにくくしたりすることができ、収納時には天板をフラットな状態にして折りたたむことができるテーブルに関するものである。
【背景技術】
【０００２】  従来、段差があるテーブルは段差部分が固定されていて、折りたたんで収納することは難しかった。また使用時は取り外した天板が不要になっていて、それを下段の天板として使用できなかった。
【発明の開示】
【発明が解決しようとする課題】
【０００３】  そのために、次のような問題点があった。
（イ）段差があるテーブルは、使用時は段差部分の天板を取り外し、それが不要となっていた。
（ロ）段差部分が固定されていて、調理器具や食器により深さを調節することはできなかったので、使える調理器具が限定されていた。
（ハ）段差部分が固定されていて、コンパクトに折りたたみ収納することが難しかった。
本発明は、以上の問題点を解決するためになされたものである。
【課題を解決するための手段】
【０００４】  いまこれを、図面について説明すれば、本発明は基台天板（１）からくり抜かれた移動天板（２）に接合された補助板（６）の嵌合受孔（４）に、それぞれの折りたたみ式テーブル脚（３）に設けられた嵌合部（５）の４ヶ所を接合させ、天板に段差をつけたものである。また、接合する嵌合部（５）の位置を変えることにより段差の深さを変えることができることを特徴とする、折りたたみ式テーブルである。
【発明の効果】
【０００５】  （イ）移動天板（２）の支えに、折りたたみ式テーブル脚（３）を利用することにより設置が簡単になり、安定する。
（ロ）移動天板（２）の深さを変えられるので調理器具や食器、また使用者の座高によって好みの高さに調節することができる。
（ハ）移動天板（２）の内側に食器や、調味料入れを置くことにより、それらの転倒が少なくなる。
（ニ）移動天板（２）の内側に料理を置くことにより料理が見やすく取りやすくなる。
（ホ）移動天板（２）を基台天板（１）にはめ込み、天板全体をフラットな状態にして使用することもできる。
（ヘ）コンパクトに折りたたみ、収納することができる。
【発明を実施するための最良の形態】
【０００６】  以下、本発明の実施の形態を説明する。
（イ）基台天板（１）の中央部を長方形にくり抜き、移動天板（２）を設け、基台天板（１）の底面に折りたたみ式テーブル脚（３）４脚を、段差部分を避け２対平行に設置する。
（ロ）基台天板（１）底面のくり抜いた部分周辺４ヶ所に、回転式の移動天板固定金具ｂ（８）を設ける。
（ハ）移動天板（２）の底面に固定式の移動天板固定金具ａ（７）を４ヶ所設け、移動天板（２）の底面の両側に、それぞれ長方形の補助板（６）を接合する。
（ニ）補助板（６）の両側の底面に、２つずつが対向するように嵌合受孔（４）を合計８ヶ所設ける。
（ホ）嵌合受孔（４）にはめ込み移動天板（２）を支えるものとして、折りたたみ式テーブル脚（３）を貫通させるように、金属製の嵌合部（５）をそれぞれ２ヶ所ずつ合計８カ所に設ける。
本発明は以上のような構造で、これを使用するときは、折りたたみ式テーブル脚（３）を伸ばし、移動天板固定金具ｂ（８）を回転させてはずし移動天板（２）を下方に下げ、補助板（６）の嵌合受孔（４）を好みの深さの折りたたみ式テーブル脚（３）の嵌合部（５）にはめ込み、段差を付けて使用する。【０００７】  また図７と図８に示すように、別に折りたたみ式支柱フレーム（９）を基台天板（１）の底面の両端に設け、それに補助板（６）を設置して移動天板（２）の支えにしてもよい。これにより薄型の折りたたみ式テーブル脚（１０）を設置することができ、収納時のサイズをよりコンパクトにすることができる。
【図面の簡単な説明】
【０００８】
【図１】本発明の斜視図
【図２】本発明の分解斜視図
【図３】本発明の収納時の底面図
【図４】本発明の段差時の側面図
【図５】図３のａ線の断面図
【図６】図４のｂ線の断面図
【図７】本発明の他の実施例を示す分解斜視図
【図８】本発明の他の実施例を示す段差時の断面図
【符号の説明】
【０００９】１    基台天板
２    移動天板
３    折りたたみ式テーブル脚
４    嵌合受孔
５    嵌合部
６    補助板
７    移動天板固定金具ａ
８    移動天板固定金具ｂ
９    折りたたみ式支柱フレーム
１０  薄型折りたたみ式テーブル脚
１１  突起部
【図１】
2007229417.tif 000003
【図２】
2007229417.tif 000004
【図３】
2007229417.tif 000005
【図４】
2007229417.tif 000006
【図５】
2007229417.tif 000007
【図６】
2007229417.tif 000008
【図７】
2007229417.tif 000009
【図８】
2007229417.tif 000010